(57)【要約】【課題】写真プリントやアルバム作成の際に撮影者の意図と顧客の意図とを反映可能としたことにより受注が見込め且つ顧客の満足度を向上することができる写真注文受付システムを提供すること。【解決手段】ネットワーク２００に接続され、撮影者が撮影した撮影画像データを撮影内容毎に区画された所定領域に格納するセンターサーバ１００と、前記ネットワーク２００に接続され、前記所定領域に格納された撮影画像データにアクセスして加工を行い注文用画像データとする撮影者端末３００と、前記ネットワーク２００に接続され、前記所定領域に格納された注文用画像データにアクセスして加工を行うと共に注文を行う注文者端末４００とを備えたことを特徴とする写真注文受付システム。【選択図】        図１
2005293176.tif 000002
【特許請求の範囲】
【請求項１】
ネットワークに接続され、撮影者が撮影した撮影画像データを撮影内容毎に区画された所定領域に格納するセンターサーバと、前記ネットワークに接続され、前記所定領域に格納された撮影画像データにアクセスして加工を行い注文用画像データとする撮影者端末と、前記ネットワークに接続され、前記所定領域に格納された注文用画像データにアクセスして加工を行うと共に注文を行う注文者端末とを備えたことを特徴とする写真注文受付システム。
【請求項２】
前記撮影画像データ対するアクセスと前記注文用画像データに対するアクセスとをログインＩＤ及び／又はパスワードにより制限したことを特徴とする請求項１に記載の写真注文受付システム。
【請求項３】
前記所定領域に撮影画像データが格納されたときに、前記ログインＩＤ及び／又はパスワードを前記撮影者端末が取得可能な電子メールとして前記センターサーバから送信することを特徴とする請求項２に記載の写真注文受付システム。
【請求項４】
前記所定領域に注文用画像データが格納されたときに、前記ログインＩＤ及び／又はパスワードを前記注文者撮影者端末が取得可能な電子メールとして前記センターサーバから送信することを特徴とする請求項２又は３に記載の写真注文受付システム。
【発明の詳細な説明】
【技術分野】
【０００１】
本発明は、写真注文受付システムに関し、詳しくは受注が見込め且つ顧客の満足度が高い写真注文受付システムに関する。
【背景技術】
【０００２】
幼稚園や各種学校、会社等の団体の行事においては、写真館等から派遣された撮影者によって行事の様子を撮影した画像をプリントした写真プリントを提供することが行われている。撮影者は、撮影したフィルムや画像データをプリント作成業者（以下、ラボという。）に送り、ラボにおいて作成された見本プリントを受け取った後、この見本プリントに基づいて、プリント注文者からのプリントの注文を受け付けるようにしている。
【０００３】
ここで、行事写真が学校行事の行事写真である場合の学校、撮影者及びラボの間での流れを簡単に説明すると、まず、学校は学校行事計画を撮影者に連絡し、この連絡を受けた撮影者は、行事当日に行事の様子及び学生たちの撮影を行う。
【０００４】
撮影後、撮影者は撮影したフィルムや画像データをラボに送る。ラボではこれを回収した後、プリント受注を行うための撮影内容を示す見本プリントを作成し、撮影者に納品する。撮影者は、この見本プリントを学校に貼り出し、学生からのプリントの注文を受け付ける。
【０００５】
撮影者が利益を得るためには、自己の商品である写真プリントを如何に多く受注するかが重要である。行事写真のような場合、プリントの受注を大きく左右するのは、購入者が購入したいと思う写真プリントが数多く存在することである。
【０００６】
しかし、従来の見本プリントは、撮影したフィルムや画像データに基づいてラボにおいて一方的に作成され、作成後の見本プリントが撮影者に対して納品されるだけである。
【０００７】
従って、撮影者にとって受注の見込める、すなわち、プリント注文者から受注され易くて自己の利益につながるような写真が表示されている見本プリントが顧客に提示されることが望まれる。
【０００８】
また、結婚式などの記念行事では写真館等から派遣された撮影者により撮影を行った画像をもとに作成されたアルバムを提供することが行われている。撮影者は、撮影したフィルムをラボに送り、ラボにおいて現像された撮影画像を受け取った後、現像された撮影画像から任意の画像を選択してラボにアルバムの作成を依頼する。アルバムの作成の依頼は、撮影者がラボで現像された画像をもとにして作成しようとするアルバムの様式に最適なように写真を選択、修正、レイアウト等を行なった上でラボにアルバムの作成を依頼する。
【０００９】
このようなアルバムの作成は、撮影者が撮影した写真を修正等することができるので、行事写真の見本プリントを作成する場合に比べて撮影者の意図が反映しやすいため、品質の高い画像が提供できる。
【００１０】
しかし、このようなアルバムは、撮影者が多少アレンジすることができるものの、予め決められたポーズが予め決められた順番で配置されたような画一化されたものであった。近年では、消費者は個性的な商品を求める傾向にあり、このような画一化されたポーズの写真を配置したアルバムでは、顧客の満足度が高くならない。
【特許文献１】特開２００３−６３２２
【発明の開示】
【発明が解決しようとする課題】
【００１１】
本発明者は、このような従来の問題を検討したところ、顧客が選択した画像を写真プリントとして提供したり、撮影者が予め修正した画像をアルバムとして提供したりしていたため、前者では品質の低下による受注減の問題があり、後者では、画一化された商品による顧客の満足度の低下の問題があることを見出した。そこで、撮影者の意図を反映することによって高品質の画像を提供しつつ、消費者の意図を反映した画像を提供することができれば、写真館の撮影者が撮影した画像に基づく写真プリントやアルバムを提供するサービスにおいて受注が見込め且つ顧客の満足度を向上することができることを見出し本発明に至った。
【００１２】
そこで本発明の課題は、写真プリントやアルバム作成の際に撮影者の意図と顧客の意図とを反映可能としたことにより受注が見込め且つ顧客の満足度を向上することができる写真注文受付システムを提供することにある。
【課題を解決するための手段】
【００１３】
（請求項１）
ネットワークに接続され、撮影者が撮影した撮影画像データを撮影内容毎に区画された所定領域に格納するセンターサーバと、前記ネットワークに接続され、前記所定領域に格納された撮影画像データにアクセスして加工を行い注文用画像データとする撮影者端末と、前記ネットワークに接続され、前記所定領域に格納された注文用画像データにアクセスして加工を行うと共に注文を行う注文者端末とを備えたことを特徴とする写真注文受付システム。
【００１４】
（請求項２）
前記撮影画像データ対するアクセスと前記注文用画像データに対するアクセスとをログインＩＤ及び／又はパスワードにより制限したことを特徴とする請求項１に記載の写真注文受付システム。
【００１５】
（請求項３）
前記所定領域に撮影画像データが格納されたときに、前記ログインＩＤ及び／又はパスワードを前記撮影者端末が取得可能な電子メールとして前記センターサーバから送信することを特徴とする請求項２に記載の写真注文受付システム。
【００１６】
（請求項４）
前記所定領域に注文用画像データが格納されたときに、前記ログインＩＤ及び／又はパスワードを前記注文者撮影者端末が取得可能な電子メールとして前記センターサーバから送信することを特徴とする請求項２又は３に記載の写真注文受付システム。
【発明の効果】
【００１７】
請求項１に記載の発明によれば、予め顧客による注文の前に、手ブレ等の失敗画像を消去したり、撮影者が自分の意図した画像と違う部分を補正したりすることを可能としたことによって、顧客による注文の見込める画像を提供することができると共に、注文者により必要のない画像を消去したり、必要な画像のみを選択したり、注文者が自分の気に入った画像にするために画像の修正をしたりすることによって、注文者が自分の意志が反映して修正された画像をもとに注文することができるので注文が増加し、顧客の満足度を向上することができる。
【００１８】
請求項２に記載の発明によれば、撮影者や注文者以外の他人からの不当なアクセスを防止することにより、撮影画像データや注文用画像データを改ざんされたりすることを防ぐことができる。
【００１９】
請求項３に記載の発明によれば、撮影者端末で撮影画像データに対するアクセスが可能となったことも同時に知ることができる。
【００２０】
請求項４に記載の発明によれば、注文者端末で注文用画像データに対するアクセスが可能となったことも同時に知ることができる。
【発明を実施するための最良の形態】
【００２１】
以下、本発明の写真注文受付システムの実施の形態について詳細に説明する。尚、本実施の形態は本発明の写真注文受付システムの一例を示すものであって、これに限定される訳ではない。
【００２２】
図１は、本発明の写真注文受付システムの構成例を示す図である。
【００２３】
本発明の写真注文受付システムは、図１に示すようにセンターサーバ１００と該センターサーバ１００とネットワーク２００を介して通信可能に接続された撮影者が利用する撮影者端末３００と注文者が利用する注文者端末４００とを備えている。
【００２４】
センターサーバ１００は、ラボの管理下にあるサーバであり、撮影内容毎に区画された所定領域が確保されている。該所定領域には、撮影者が撮影した撮影画像データが格納されている。
【００２５】
本発明において撮影内容というのは、撮影者に対する顧客の依頼内容であって、例えば「撮影者Ａカメラマンに対する顧客Ｂ学校からの運動会」とか、「撮影者Ｃカメラマンに対する顧客Ｄ会社からの社内旅行」とかである。
【００２６】
また、本発明において撮影内容毎に区画された所定領域というのは、撮影内容応じて特定される格納領域のことをいう。
【００２７】
前記所定領域に格納される撮影画像データは、撮影者が撮影して得られたフィルムを現像したネガをスキャン等することによって撮影画像をデジタル化したり、撮影者がデジタル画像を撮影することができるデジタルカメラ等の装置によって撮影することによって得ることができる。
【００２８】
ネットワーク２００は、センターサーバ１００の前記所定領域に対して必要に応じて前記撮影者端末３００と前記注文者端末４００とからアクセス可能なように、該センターサーバ１００、該撮影者端末３００及び該注文者端末４００とを接続する通信回線である。ネットワーク２００としては、例えばインターネットを利用することができる。
【００２９】
ネットワーク２００は、センターサーバ１００内に格納された情報に基づいて、例えば、本発明のシステムを用いたサービスを提供する図２に示すようなホームページを撮影者端末３００と注文者端末４００とからネットワーク２００を介して閲覧可能な状態とすることができる。
【００３０】
撮影者端末３００は、前記ネットワーク２００に接続され、前記所定領域に格納された撮影画像データにアクセスして加工を行い注文用画像データとするための端末である。
【００３１】
撮影者端末３００と前記ネットワーク２００との接続は、常時物理的に接続されていることに限定されず、前記撮影画像データにアクセスする際に通信可能な状態とされればよい。
【００３２】
撮影者端末３００から前記センターサーバ１００の所定領域に格納された撮影画像データをアクセスする際には、パスワードやＩＤ番号等により制限することが好ましい。撮影者以外の他人からの不当なアクセスを防止することにより、撮影画像データを改ざんされたりすることを防ぐことができるからである。パスワードやＩＤ番号は、撮影前にラボに予約することにより予め定めておいてもよいが、センターサーバ１００に撮影画像データが格納された時点で、センターサーバ１００から撮影者端末３００で取得可能な電子メールを送信する態様とすると、撮影者端末３００で撮影画像データに対するアクセスが可能となったことも同時に知ることができるので好ましい。
【００３３】
撮影者端末３００により撮影画像データにアクセスして行う加工は、例えば、画像データ自体の消去や、画像データに対して色補正、回転、等の各種補正を行うことができる。
【００３４】
撮影者端末３００により撮影画像データを加工することにより、予め顧客による注文の前に、手ブレ等の失敗画像を消去したり、撮影者が自分の意図した画像と違う部分を補正したりすることによって、顧客による注文の見込める画像を提供することができる。
【００３５】
撮影者端末３００により加工された撮影画像データは注文用画像データとされセンターサーバ１００の所定領域に格納される。この加工の後、撮影画像データは、注文用画像データと共にセンターサーバ１００の所定領域に格納されたままでもよいし、消去されてもよい。加工して新たに注文用画像データが格納された後も撮影画像データが格納されたままであると、撮影者端末３００において撮影画像データを再加工することができる点で好ましい。
【００３６】
また、撮影者端末３００において、１つの撮影画像データに対して行う加工の内容を様々に変化させることを可能とすることにより、複数種の注文用画像データがそれぞれセンターサーバ１００の所定領域に格納されるようにすれば、注文者が、後述する注文者端末４００において該複数種の注文用画像データから選択した注文用画像データに基づいて加工及び注文を行えるようになるので好ましい。
【００３７】
撮影者端末３００において、かかる処理を行うためのプログラムは、センターサーバ１００側に格納されていても撮影者端末３００側に格納されていてもよい。ただし、センターサーバ１００側に格納されていると、撮影者端末３００にインストールしなくてよいので、ラボが撮影者に本発明のシステムによるサービスを提供する際に、撮影者側の手間が省けサービス向上につながり好ましい。
【００３８】
また、注文者端末４００は、前記ネットワーク２００に接続され、前記所定領域に格納された注文用画像データに加工を行うと共に注文を行うための端末である。
【００３９】
注文者端末４００と前記ネットワーク２００との接続は、常時物理的に接続されていることに限定されず、前記撮影画像データにアクセスする際に通信可能な状態とされればよい。
【００４０】
注文者端末４００から前記所定領域に格納された注文用画像データをアクセスする際には、パスワードやＩＤ番号等により制限することが好ましい。注文者以外の他人からの不当なアクセスを防止することにより、撮影画像データを改ざんされたりすることを防ぐことができるからである。パスワードやＩＤ番号は、予め定めておいて撮影時に撮影者から通知する態様でもよいが、センターサーバ１００に注文用画像データが格納された時点で、センターサーバ１００から注文者端末４００で取得可能な電子メールに送信する態様とすると、注文者端末４００で注文用画像データに対するアクセスが可能となったことも同時に知ることができるので好ましい。
【００４１】
注文者端末４００により注文用画像データにアクセスして行う加工は、例えば、画像データ自体の消去や選択、又は画像データに対して色補正、回転、等の各種補正を行うことができる。注文者端末４００における画像の補正の際には、画像補正に慣れていない人でも補正が簡単にできるように、公知の画像補正を補助するためのプログラムを用いることが好ましい。
【００４２】
注文者端末４００により注文用画像データを加工することにより、必要のない画像を消去したり、必要な画像のみを選択したり、注文者が自分の気に入った画像にするために画像の修正をしたりすることによって、注文者が自分の意志が反映して修正された画像をもとに注文することができるので注文が増加し、注文者の満足につながる。
【００４３】
注文者端末４００において、かかる処理を行うためのプログラムは、センターサーバ１００側に格納されていても注文者端末４００側に格納されていてもよい。ただし、センターサーバ１００側に格納されていると、注文者端末４００にインストールしなくてよいので、注文者が本発明のシステムによるサービスの提供をうける際に、注文者側の手間が省けサービス向上につながり好ましい。
【００４４】
次に、上記のシステムに基づいて顧客の卒業旅行を依頼された撮影者が撮影し、撮影した内容を写真プリントとして顧客が受けとるサービスを例に挙げて、本発明の写真受注システムの処理流れについて説明する。
【００４５】
図２乃至図１９は本発明の写真受注システムの各処理過程において表示される画面内容を示す図である。
【００４６】
まず、撮影者は卒業旅行を撮影したフィルムをラボに送る。ラボは送られたフィルムを現像してスキャンすることにより画像をデジタル化して撮影画像データを得る。得られた撮影画像データは、センターサーバ１００の撮影内容毎に区画された所定領域に格納される。
【００４７】
センターサーバ１００の所定領域に撮影画像データが格納されると、撮影者端末３００が取得可能な電子メールとしてログインＩＤとパスワードがセンターサーバ１００から送信される。撮影者は、かかる電子メールを取得して確認することにより撮影画像データがアクセス可能な状態となったことを確認できる。
【００４８】
次いで、撮影者端末３００からネットワーク２００を介してセンターサーバ１００にアクセスすると、図２に示すようなホームページ画面が表示される。そこで撮影者は、撮影者端末３００において、ログインＩＤ入力欄１０とパスワード入力欄１１に電子メールで送信されたログインＩＤとパスワードを入力することができる。
【００４９】
センターサーバ１００は、入力されたログインＩＤとパスワードを確認して、該当する所定領域に格納された撮影画像データを撮影者端末３００に表示可能な状態として加工を受け付ける。
【００５０】
撮影者端末３００における加工は、例えば図３乃至図６に示すような表示に基づいて行うことができる。まず、図３に示すように「消去又は補正する画像を指定してください。」との指示に従って、対象とする撮影画像データ１２の表示をクリック等を行って選択し、消去ボタン１３又は補正ボタン１４をクリックしてその撮影画像データの処理内容を選択する。
【００５１】
このとき補正ボタン１４を選択すると、まず画像の位置調整を行うための画面が表示される。かかる画面表示は、画像のトリミングのためのトリミング線１５、拡大・縮小や回転、移動を行うための各種位置調整用ボタン群１６、他に色補正を行う場合に選択する色補正ボタン１７、他に画質補正を行う場合に選択する画質補正ボタン１８、当該画像の補正を中止する場合に選択する補正中止ボタン１９等が表示している。
【００５２】
また、このような補正の他に図５に示すような画面をポップアップウインドウ２０として表示することによって、メッセージ入力を行うようにすることもできる。このとき、撮影者は効果的なメッセージを入れることによって、撮影した写真に付加価値を生み出すことができる。
【００５３】
ポップアップウインドウ２０は、例えば、横書き文字を入力する指示をするための横書き指示タグ２１ａ、縦書き文字を入力する指示をするための縦書き指示タグ２１ｂ、入力される文字の文字種を指定するための文字種指定欄２２、入力される文字のフォントを指定するための文字フォント指定欄２３、入力される文字が太字となるように指定するための太字指定欄２４、入力される文字が斜体となるように指定するための斜体指定欄２５、文字を前寄せ、中央寄せ、後寄せのいずれにするかを指定するための文字寄せ指定欄２６、入力される文章を指定するための文書入力欄２７、入力される文字の色を示す文字色指定タグ群２８を表示した構成とすることができる。
【００５４】
センターサーバ１００は、一連の補正内容が終了すると、図６に示すように補正後の画像を表示して「補正後の画像はこれでよろしいですか？」とのメッセージを表示し、補正の決定を促す。撮影者は、撮影者端末３００に表示された補正後の画像を確認して決定ボタン２９を選択することにより補正を決定することができる。
【００５５】
以上の図３から図６に示すような画面表示に基づいて撮影者端末３００においてなされた該加工内容に基づいて、センターサーバ１００の所定領域に格納された撮影用画像データは注文用画像データとされる。
【００５６】
センターサーバ１００の所定領域の撮影用画像データが加工されて注文用画像データとされると、注文者端末４００が取得可能な電子メールとしてログインＩＤとパスワードがセンターサーバ１００から送信される。注文者である顧客は、かかる電子メールを取得して確認することにより注文用画像データがアクセス可能な状態となったことを確認できる。
【００５７】
次いで、注文者端末４００からネットワーク２００を介してセンターサーバ１００にアクセスすると、図２に示すようなホームページ画面が表示される。そこで顧客は、注文者端末４００において、ログインＩＤ入力欄１０とパスワード入力欄１１に電子メールで送信されたログインＩＤとパスワードを入力することができる。このとき、前記撮影者用のログインＩＤ及びパスワードと注文者用のログインＩＤ及びパスワードとを異ならせることにより、撮影者や注文者が不要なデータを間違えてアクセスしてしまったりすることがない。
【００５８】
センターサーバ１００は、入力されたログインＩＤとパスワードを確認して、該当する所定領域に格納された注文用画像データを注文者端末４００に表示可能な状態として加工と注文を受け付ける。
【００５９】
まず、注文者端末４００において、図７に示すようなチェックボックスを選択させることにより、写真プリントサービスを受けるのかアルバム作成サービスを受けるのかを選択させる。本実施例では写真プリントを受け取るので写真プリントサービスのチェックボックスを選択することができる。
【００６０】
図７に選択が終了すると、図８に示すように「補正又は注文を行う画像を指定してください。」と表示され、注文用画像が順次表示され、該注文用画像に対する注文又は補正を注文ボタン３０又は補正ボタン３１の選択により受け付けることができる。
【００６１】
注文者端末４００において補正ボタン３１を選択した場合の補正は、撮影者端末３００における場合と同様に色補正、拡大・縮小や回転、画質補正等の各種補正を行うことができるが、画像補正に慣れていない人でも補正が簡単にできるように、公知の画像補正を補助するためのプログラムを用いることが好ましい。
【００６２】
以上のように加工がされた後、注文者端末４００において、図９に示すように注文内容の確認のための表示がなされる。注文内容が確認されると、注文された画像データ、注文者、注文枚数、料金等を注文内容として生成され、再びセンターサーバ１００に送信される。
【００６３】
センターサーバ１００に注文内容が送信されると、当該センターサーバを管理するラボは、当該注文内容に基づいて写真プリント作成することができる。
【００６４】
尚、前記注文者端末４００における注文内容は、センターサーバ１００に送信される上記態様以外に、ネットワーク２００上に接続された注文受付サーバを設けて、該注文受付サーバに送信されて当該注文受付サーバにおいて注文内容が管理される態様でもよい。
【００６５】
このように、本発明の写真注文受付システムによれば、撮影者の意図を反映することにより受注の増加を見込め、注文者の意向を汲んだ写真プリントや写真アルバムを提供することができる。
【００６６】
また、本発明の写真注文受付システムにおいては、図１０に示すようにデザイナーが利用するデザイン者端末５００をネットワーク２００にブランチさせることも好ましい。注文者端末４００において写真プリントサービスやアルバム作成サービスにおいてテンプレートを用いたデザイナーによる加工を選択できるようにして、提供する写真プリントやアルバムの付加価値を高めることによってサービスの向上を図ることができる。
【００６７】
この場合、校正者が利用する校正者端末６００とデザイン管理者が利用するデザイン管理者サーバ７００とを設けることができる。
【００６８】
校正者端末６００は、デザイン者端末５００におけるデザインの校正を行う。
【００６９】
デザイン管理サーバ７００は、前記注文者端末４００からのデザインの発注を受け付けて前記デザイン者端末５００へのデザインの発注と校正者端末６００への校正の発注とを管理することができる。
【００７０】
デザイン管理サーバ７００は、注文者端末４００により発注された内容をデザイン注文情報として注文者端末４００、デザイン者端末５００及び校正者端末６００において同様な表示状態とすることができるように格納している。デザイン注文情報は、例えば、「現在デザイン者による作業中です。」等のように現在のデザインの進捗状況や、例えば「５月１０までにおねがいします。」等のデザインの納期に対する要望や、例えば「全体にトーンを強調してください。」等のようにデザイナ内容に対する要望などを含んでいる。  このように、デザインの注文者、作業者、校正者が同様の表示状態でデザイン情報を表示することができるので、納期の把握や画像デザインにおける注意点等の情報の共通化を図ることができ、デザイン作成、校正等を迅速かつ確実に行うことができる。
【００７１】
また、デザイン管理サーバ７００には、例えば「画像がテンプレートからはみ出しています。周囲をカットしてください。」などのようにデザイナーと校正者の間でのみ確認すべき事項を、デザイン者端末５００と校正者端末６００のみからアクセスできるように格納することができる。このように、対象を限定して情報の共有化を図ることによって、ユーザに不要な情報を与えることなくデザイン作成、校正等を迅速かつ確実に行うことができる。
【００７２】
また、デザイン者端末５００と校正者端末６００の少なくとも一方は、デザイン管理サーバ７００によって構成することもできる。このようにすればデザイン管理者がデザイナー又は校正者としての作業を行うことができる。
【００７３】
また、デザイン管理サーバ７００はセンターサーバ１００によって構成することもできる。このようにすれば、ラボ側でデザイン管理をすることもできる。
【図面の簡単な説明】
【００７４】
【図１】本発明の写真注文受付システムの構成例を示す図
【図２】本発明の写真受注システムの各処理過程において表示される画面内容の一例を示す図
【図３】本発明の写真受注システムの各処理過程において表示される画面内容の一例を示す図
【図４】本発明の写真受注システムの各処理過程において表示される画面内容の一例を示す図
【図５】本発明の写真受注システムの各処理過程において表示される画面内容の一例を示す図
【図６】本発明の写真受注システムの各処理過程において表示される画面内容の一例を示す図
【図７】本発明の写真受注システムの各処理過程において表示される画面内容の一例を示す図
【図８】本発明の写真受注システムの各処理過程において表示される画面内容の一例を示す図
【図９】本発明の写真受注システムの各処理過程において表示される画面内容の一例を示す図
【図１０】本発明の写真注文受付システムの他の構成例を示す図
【符号の説明】
【００７５】
１００：センターサーバ
２００：ネットワーク
３００：撮影者端末
４００：注文者端末
５００：デザイン者端末
６００：校正者端末
７００：デザイン管理者サーバ
【図１】
2005293176.tif 000003
【図２】
2005293176.tif 000004
【図３】
2005293176.tif 000005
【図４】
2005293176.tif 000006
【図５】
2005293176.tif 000007
【図６】
2005293176.tif 000008
【図７】
2005293176.tif 000009
【図８】
2005293176.tif 000010
【図９】
2005293176.tif 000011
【図１０】
2005293176.tif 000012